(57)【要約】【課題】  発光撮影に伴い離れた位置に配置された照明装置を発光可能か否かを、ユーザが容易に確認することができるようにする。【解決手段】  蓄積された電気エネルギーを用いて光源を発光させる他の照明装置と無線通信が可能な照明装置であって、光源を発光させるための電気エネルギーを蓄積するコンデンサと、前記コンデンサの充電状態を検出する検出手段と、他の照明装置との無線通信に用いる通信手段と、前記通信手段により受信した他の照明装置の情報と前記検出手段の検出結果とに基づいて、当該照明装置が発光可能な状態であることを示す情報と、当該照明装置と前記他の照明装置とが発光可能な状態であることを示す情報とを、区別可能に報知する報知手段と、を有する。【選択図】  図５
2017021084.tif 000002
【特許請求の範囲】
【請求項１】
蓄積された電気エネルギーを用いて光源を発光させる他の照明装置と無線通信が可能な照明装置であって、
光源を発光させるための電気エネルギーを蓄積するコンデンサと、
前記コンデンサの充電状態を検出する検出手段と、
他の照明装置との無線通信に用いる通信手段と、
前記通信手段により受信した他の照明装置の情報と前記検出手段の検出結果とに基づいて、当該照明装置が発光可能な状態であることを示す情報と、当該照明装置と前記他の照明装置とが発光可能な状態であることを示す情報とを、区別可能に報知する報知手段と、
を有することを特徴とする照明装置。
【請求項２】
前記報知手段は、前記他の照明装置が発光可能であることを示す情報を、当該照明装置と前記他の照明装置とが発光可能な状態であることを示す情報とを区別可能に報知することを特徴とする請求項１に記載の照明装置。
【請求項３】
前記通信手段は複数の他の照明装置と通信可能であって、
前記報知手段は、当該照明装置と前記他の照明装置すべてが発光可能な状態であるときに、当該照明装置と前記他の照明装置とが発光可能な状態であることを示す情報を報知することを特徴とする請求項１に記載の照明装置。
【請求項４】
前記報知手段は、前記光源とは異なる発光部を含み、当該照明装置が発光可能な状態になると前記発光部が点灯することを特徴とする請求項１ないし３のいずれか１項に記載の照明装置。
【請求項５】
前記報知手段は、発音部を含み、当該照明装置と前記他の照明装置とが発光可能な状態になると前記発音部から音が発生することを特徴とする請求項４に記載の照明装置。
【請求項６】
前記報知手段は、表示手段を含み、当該照明装置と前記他の照明装置とが発光可能な状態になると前記表示手段に所定のマークを表示することを特徴とする請求項１ないし４のいずれか１項に記載の照明装置。
【発明の詳細な説明】
【技術分野】
【０００１】
本発明は、他の照明装置と無線通信を行うことが可能な照明装置に関する。
【背景技術】
【０００２】
従来、照明装置であるストロボ装置を用いて発光撮影を行うカメラシステムが知られている。特許文献１には、撮像装置であるカメラと、カメラに装着された照明装置（以下、マスターストロボとする）と、カメラから離れた位置に配置された照明装置（以下、スレーブストロボとする）とを用いて発光撮影を行う技術が提案されている。
【先行技術文献】
【特許文献】
【０００３】
【特許文献１】特開２０００−８９３０７号公報
【発明の概要】
【発明が解決しようとする課題】
【０００４】
しかしながら、特許文献１に記載された技術では、スレーブストロボが発光可能な充電状態か否かをカメラやマスターストロボで確認することができない。そのため、ユーザがスレーブストロボの充電状態を確認するためには、カメラから離れた位置に配置されたスレーブストロボでスレーブストロボの充電状態を確認する必要がある。カメラを操作している場所からスレーブストロボの充電状態を確認できない場合、スレーブストロボの充電状態を確認するためにユーザは移動しなければならず手間がかかる。
【０００５】
そこで、本発明は、発光撮影に伴い離れた位置に配置された照明装置を発光可能か否かを、ユーザが容易に確認することができるようにすることを目的とする。
【課題を解決するための手段】
【０００６】
上記目的を達成するために、本発明に係る照明装置は、蓄積された電気エネルギーを用いて光源を発光させる他の照明装置と無線通信が可能な照明装置であって、光源を発光させるための電気エネルギーを蓄積するコンデンサと、前記コンデンサの充電状態を検出する検出手段と、他の照明装置との無線通信に用いる通信手段と、前記通信手段により受信した他の照明装置の情報と前記検出手段の検出結果とに基づいて、当該照明装置が発光可能な状態であることを示す情報と、当該照明装置と前記他の照明装置とが発光可能な状態であることを示す情報とを、区別可能に報知する報知手段と、を有することを特徴とする。
【発明の効果】
【０００７】
本発明によれば、発光撮影に伴い離れた位置に配置された照明装置を発光可能か否かを、ユーザが容易に確認することができる。
【図面の簡単な説明】
【０００８】
【図１】本発明の実施形態に係るカメラシステムの概略構成を示す図である。
【図２】本発明の実施形態に係るマスターストロボの概略構成を示す図である。
【図３】本発明の実施形態に係るマスターストロボの操作表示部の概略構成を示す図である。
【図４】本発明の実施形態に係るカメラの制御フローチャートである。
【図５】本発明の実施形態に係るマスターストロボの制御フローチャートである。
【図６】本発明の実施形態に係るスレーブストロボの制御フローチャートである。
【図７】本発明の実施形態に係るマスターストロボの操作表示部を用いてマスターストロボの充電状態とスレーブストロボの充電状態を示した図である。
【図８】本発明の実施形態に係るマスターストロボの操作表示部を用いてマスターストロボの充電状態とスレーブストロボの充電状態を示した図である。
【図９】本発明の実施形態に係るマスターストロボの操作表示部を用いてマスターストロボの充電状態とスレーブストロボの充電状態を示した図である。
【図１０】本発明の実施形態に係るマスターストロボの操作表示部を用いてマスターストロボの充電状態とスレーブストロボの充電状態を示した図である。
【発明を実施するための形態】
【０００９】
以下、本発明の実施の形態について図面を参照しながら詳述する。図１は、本実施の形態に係るカメラシステム（多灯発光制御システム）３００の概略構成を示す図である。
【００１０】
図１において、カメラシステム３００は、被写体に対して発光する複数（図では３台）の照明装置としてのストロボ装置１００Ｍ、１００Ａ、１００Ｂ、及び撮像装置としてのカメラ２００を含んでいる。なお、本実施形態では、３台のストロボ装置のうちのストロボ装置１００Ｍは、カメラ２００と物理的に接続され、他のストロボ装置の制御を行うマスター機器である。以下、ストロボ装置１００Ｍをマスターストロボとする。
【００１１】
一方、マスターストロボ１００Ｍを除く他のストロボ装置１００Ａ、１００Ｂは、カメラ２００と物理的に接続されていない、マスターストロボ１００Ｍにより制御されるスレーブ機器である。以下、ストロボ装置１００Ａ、１００Ｂをスレーブストロボ１００Ａ、１００Ｂとする。
【００１２】
マスターストロボ１００Ｍは、スレーブストロボ１００Ａ、１００Ｂの各々と、後述する無線通信部１０５により双方向に通信可能である。また、マスターストロボ１００Ｍは、後述するインターフェース１０４を介してカメラ２００との通信も行う。
【００１３】
マスターストロボ１００Ｍ、スレーブストロボ１００Ａ、１００Ｂは、発光に関する各種設定や表示を行うための操作表示部１０１Ｍ、１０１Ａ、１０１Ｂをそれぞれ備える。
【００１４】
また、カメラ２００は、レリーズ制御や、カメラ撮像モードの切り替え設定や表示、また、マスターストロボ１００Ｍ、スレーブストロボ１００Ａ、１００Ｂの情報を表示するための操作表示部２０１を備える。
【００１５】
図２は、図１におけるマスターストロボ１００Ｍの概略構成を示す図である。本実施形態では、マスターストロボ１００Ｍ、スレーブストロボ１００Ａ、１００Ｂは同じ構成を有しているものとし、スレーブストロボ１００Ａ、１００Ｂの説明は省略する。なお、図２の操作表示部１０１は図１の操作表示部１０１Ｍに対応しているが、他の構成要素と表現を合わせるため図２では１０１Ｍではなく１０１としている。
【００１６】
図２に示すように、マスターストロボ１００Ｍは、操作表示部１０１、発光回路１０２、ストロボ制御部１０３、インターフェース１０４、及び無線通信部１０５を備える。
【００１７】
ストロボ制御部１０３は、ＣＰＵ、ＲＯＭ、ＲＡＭ等で構成され、マスターストロボ１００Ｍ全体を制御する。操作表示部１０１が操作されてストロボ制御部１０３に対して動作指示が行われたり、接続された撮像装置から動作指示が行われたりすることにより、マスターストロボ１００Ｍが制御される。また、操作表示部１０１は、ストロボ制御部１０３からの制御信号により各種情報の表示を行う。
【００１８】
発光回路１０２は、充電や発光制御など発光に関わる制御を行い、ストロボ制御部１０３からの発光命令を表す信号を受信することで光源１０２ａを発光させる。発光回路１０２には、キセノン管等の光源１０２ａ、光源を発光させるための電気エネルギーを蓄積（充電）するメインコンデンサ１０２ｂ、メインコンデンサの充電状態を検出する検出回路１０２ｃなどが含まれる。なお、検出回路については、例えば、特開２０１０−１７５６２２号公報に記載されたような回路を用いればよく詳細な説明は省略する。また、以下において、ストロボ装置の充電状態やストロボ装置の充電完了などの表現は、当該ストロボ装置が有するメインコンデンサ１０２ｂの充電状態や充電完了を意味する。また、本実施形態では、メインコンデンサ１０２ｂの充電完了とは、メインコンデンサ１０２ｂの充電電圧が光源１０２ａを所定の発光量で発光させるのに必要となる充電電圧を超えている状態（発光可能な状態）のことを表している。すなわち、メインコンデンサ１０２ｂの充電完了とは、メインコンデンサ１０２ｂが充電可能な最大電圧に達した状態に限定されない。
【００１９】
また、発光回路１０２は、ストロボ制御部１０３に対して、検出回路１０２ｃにより検出されたメインコンデンサ１０２ｂの充電状態を表す信号を送信する。インターフェース１０４は撮像装置と物理的に接続するためのインターフェースである。このインターフェース１０４を介して物理的に接続された撮像装置と通信する。
【００２０】
無線通信部１０５は、電波による無線通信を行うものであり、アンテナ１０５ａ、無線制御部１０５ｂ、発振回路１０５ｃ、及び水晶発振子１０５ｄを備える。
【００２１】
この無線通信部１０５の形態として、２種類の形態を挙げることができる。１つはマスターストロボ１００Ｍに内蔵するタイプであり、もう１つは無線通信部１０５をカード化して、マスターストロボ１００Ｍにカードスロットを設けた着脱可能型タイプの２つである。本実施の形態では内蔵タイプとして説明するが、どちらの形態でも構わない。
【００２２】
アンテナ１０５ａは、電波無線通信を用いてデータの送受信を行い、通信相手から受信したデータを無線制御部１０５ｂへ送信する。また、無線制御部１０５ｂからデータを受け取り、通信相手へ送信する。
【００２３】
発振回路１０５ｃは、発振回路１０５ｃに接続された水晶発振子１０５ｄから生成されるクロック信号の波形を整形し、整形したクロック信号を無線通信部１０５での各回路に出力する。このクロック信号により、各回路による同期をとることができる。
【００２４】
発音部１０６はストロボ制御部１０３からの制御信号によりブザー音を発生させることができるスピーカーなどである。
【００２５】
図３は操作表示部１０１Ｍのうち、表示に係わる部分の概略構成を示す図であり、ストロボ制御部１０３によって各部の制御が行われる。１０７は光源１０２ａとは別に設けられた発光部であるＬＥＤランプであり、マスターストロボ１００Ｍの充電完了時に点灯され、充電未完了時は消灯される。１０８は液晶表示部で、マスターストロボ１００Ｍやスレーブストロボ１００Ａ、１００Ｂの充電状態に関するマークとしてアイコン１０９ａ、１０９ｂ、１１０が表示される。アイコン１０９ａは、スレーブストロボ１００Ａの充電完了時に点灯され、アイコン１０９ｂは、スレーブストロボ１００Ｂの充電完了時に点灯される。なお、図３では、アイコン１０９ａ、１０９ｂが消灯状態である場合を示している。アイコン１１０は、マスターストロボ１００Ｍの充電状態を表すマークであって、マスターストロボ１００Ｍの充電状態に応じて４段階に表示形態が変更されるプログレスバーである。例えば、充電状態が３０％未満のときはいずれのブロックも点灯されず、充電状態が３０％以上６０％未満のときは左から１番目のブロックのみ点灯され、充電状態が６０％以上のときは左から１番目、２番目のブロックが点灯される。また、アイコン１１０は、スレーブストロボ１００Ａ、１００Ｂの充電状態によっても表示形態が変更され、マスターストロボ１００Ｍ、スレーブストロボ１００Ａ、１００Ｂがすべて充電完了になるとプログレスバーが全て点灯される。なお、操作表示部１０１Ｍで示すマスターストロボの充電状態とスレーブストロボの充電状態の変化については、図７〜１０を用いて後述する。以下、アイコン１１０はプログレスバー１１０とも呼ぶものとする。
【００２６】
図４は、図１におけるカメラ２００により実行されるカメラ制御処理の手順を示すフローチャートである。この処理は、カメラ２００に搭載されたＣＰＵにより実行される。
【００２７】
ステップＳ１０１にて、カメラ２００は操作表示部２０１に含まれる撮影準備ボタンが押下されたと判定すると撮影準備開始状態に遷移する。
【００２８】
そして、ステップＳ１０２にて、カメラ２００はインターフェース１０４を介してマスターストロボ１００Ｍへ撮影準備開始通知を行う。
【００２９】
図５は、図１におけるマスターストロボ１００Ｍにより実行されるマスターストロボ制御処理の手順を示すフローチャートである。この処理は、マスターストロボ１００Ｍのストロボ制御部１０３に搭載されたＣＰＵがＲＯＭ、ＲＡＭ等に記憶されているプログラムを読み出して実行される。
【００３０】
ストロボ制御部１０３は、ステップＳ２０１にてカメラ２００から撮像準備が開始されたことを示す撮像準備開始通知を受信すると、ステップＳ２０２に進み、マスターストロボ１００Ｍの液晶表示部１０８のバックライトを点灯させる。これによりユーザは、マスターストロボ１００Ｍの液晶表示部１０８に表示されるマスターストロボ１００Ｍやスレーブストロボ１００Ａ、１００Ｂの充電状態に関するアイコン１０９ａ、１０９ｂ、１１０を視認しやすくなる。
【００３１】
その後に、ストロボ制御部１０３は、ステップＳ２０３に進んで発光回路１０２の検出回路１０２ｃを用いてマスターストロボ１００Ｍの充電状態を検出する（充電完了判定を行う）。検出結果に基づいてマスターストロボ１００Ｍが充電完了していたら、ストロボ制御部１０３はステップＳ２０４でマスターストロボ１００ＭのＬＥＤランプ１０７を点灯状態にする。また、ステップＳ２０４でストロボ制御部１０３は、インターフェース１０４を介してカメラ２００にマスターストロボ１００Ｍが充電完了していることを示す情報を送信する。この情報を受信することで、カメラ２００は発光撮影用の制御を実行することができる。そして、ステップＳ２０５でストロボ制御部１０３は、プログレスバー１１０の表示を所定の状態に更新させてステップＳ２０７に進む。
【００３２】
ステップＳ２０３でマスターストロボ１００Ｍが充電完了していなければ、ストロボ制御部１０３はステップＳ２０６でマスターストロボのＬＥＤランプ１０７を消灯状態にし、ステップＳ２０５に進む。この場合はステップＳ２０５では、ストロボ制御部１０３はプログレスバー１１０の表示を現在のマスターストロボ１００Ｍの充電状態に応じた状態に更新させてステップＳ２０７に進む。
【００３３】
ステップＳ２０７では、ストロボ制御部１０３はスレーブストロボ１００Ａ、１００Ｂに充電状態を示す情報の要求を行う。ステップＳ２０８でストロボ制御部１０３は、スレーブストロボ１００Ａ、１００Ｂから送信されて受信したそれぞれの充電状態を示す情報に基づいて、どちらのスレーブストロボも充電完了していないと判定すると、ステップＳ２０３に戻る。ステップＳ２０８でストロボ制御部１０３は、少なくとも一方のスレーブストロボが充電完了していると判定すると、ステップＳ２０９に進む。ステップＳ２０９でストロボ制御部１０３は、スレーブストロボ１００Ａ、１００Ｂの充電状態をユーザに知らせるため、マスターストロボ１００Ｍの液晶表示部１０８に充電完了しているスレーブストロボに対応するアイコン１０９ａ、１０９ｂを点灯させる。
【００３４】
この時点でマスターストロボ１００Ｍが充電完了しておらず、スレーブストロボ１００Ａ、１００Ｂが充完している場合は、ＬＥＤランプ１０７は消灯状態でアイコン１０９ａと１０９ｂの双方が点灯状態となり、図７に示す状態になる。このとき、プログレスバー１１０は、充電途中のマスターストロボ１００Ｍの充電状態に応じた表示形態となっており、図７では、充電状態が６０％以上だが充電完了していないことを示している。
【００３５】
また、この時点でマスターストロボ１００Ｍとスレーブストロボ１００Ａが充電完了していて、スレーブストロボ１００Ｂが充電完了していない場合は、ＬＥＤランプ１０７とアイコン１０９ａが点灯状態でアイコン１０９ｂが消灯状態となる。このときの状態を図８に示していて、プログレスバー１１０は、スレーブストロボ１００Ｂが充電完了していないため、マスターストロボ１００Ｍが充電完了していても、すべてのブロックが点灯された状態にはならない。このように、プログレスバー１１０の表示状態によって、マスターストロボ１００Ｍとスレーブストロボ１００Ａ、１００Ｂのすべてが充電完了しているか否かをユーザは容易に確認することができる。
【００３６】
その後ステップＳ２１０に進んで、ストロボ制御部１０３は、すべてのスレーブストロボから充電完了していることを示す情報を受信したか否かを判定し、充電完了していることを示す情報を受信していないスレーブストロボがある場合はステップＳ２０７に戻る。ここで、再度ステップＳ２０７に戻ってスレーブストロボに充電状態を示す情報の要求を行うときには、まだ充電完了していることを示す情報を受信していないスレーブストロボにのみ充電状態を示す情報の要求を行ってもよい。
【００３７】
すべてのスレーブストロボから充電完了していることを示す情報を受信している場合はステップＳ２１１に進み、ストロボ制御部１０３は、マスターストロボ１００Ｍの充電完了判定を行う。マスターストロボ１００Ｍが充電完了していなければステップＳ２０３に戻る。マスターストロボ１００Ｍが充電完了していたらステップＳ２１２に進み、マスターストロボ１００Ｍ、スレーブストロボ１００Ａ、１００Ｂのすべてが充電完了しているため、液晶表示部１０８のプログレスバー１１０を全点灯させる。また、ＬＥＤランプ１０７が消灯状態であったならばこのタイミングで点灯させる。このときの状態を図９に示している。
【００３８】
そして、ステップＳ２１３に進み、ストロボ制御部１０３は発音部１０６からブザー音を所定の期間発生させる。このブザー音は、マスターストロボ１００Ｍ、スレーブストロボ１００Ａ、１００Ｂのすべてが充電完了していることをユーザに報知するためのものであり、ブザー音を発生させるか否かは操作表示部１０１Ｍを操作して変更可能である。ブザー音を発生させると、ステップＳ２１４でストロボ制御部１０３は、ブザー音を発生させてから所定時間が経過するのを待ち、所定時間が経過すると、ステップＳ２１５に進み、マスターストロボ１００Ｍの液晶表示部１０８のバックライトを消灯させる。これによってバックライトを点灯させ続けることによる電力消費を抑えることができる。
【００３９】
図６は、図１におけるスレーブストロボ１００Ａ、１００Ｂにより実行される充電完了チェック処理の手順を示すフローチャートである。この処理は、スレーブストロボ１００Ａ、１００Ｂのストロボ制御部１０３に搭載されたＣＰＵがＲＯＭ、ＲＡＭ等に記憶されているプログラムを読み出して実行される。
【００４０】
ストロボ制御部１０３は、Ｓ３０１でマスターストロボからの充完情報要求通知を受けると、ステップＳ３０２に進んで発光回路１０２の検出回路１０２ｃを用いて充電状態の検出（充電完了チェック）を行う。
【００４１】
そしてステップＳ３０３で、ストロボ制御部１０３は発光回路１０２から受信した充電状態を表す信号に応じた充電状態を示す情報をマスターストロボ１００Ｍに送信する。
【００４２】
以上のようにすることで、ユーザは、マスターストロボ１００ＭのＬＥＤランプ１０７が点灯していればマスターストロボ１００Ｍが充電完了していることを容易に確認できる。そのため、シャッターチャンスを逃さないためにスレーブストロボの充電が完了していなくてもマスターストロボだけ発光させて発光撮影を行いたいときには、ユーザはＬＥＤランプ１０７の状態だけを確認すればよい。
【００４３】
また、ユーザは、マスターストロボ１００Ｍの液晶表示部１０８のプログレスバー１１０によって、充電途中のマスターストロボ１００Ｍの充電がどの程度進んでいるかを容易に確認することができる。そのため、マスターストロボが充電完了するまでのおおよその時間を知りたいときには、ユーザはプログレスバー１１０の状態を確認すればよい。
【００４４】
さらに、ユーザは、マスターストロボ１００Ｍの液晶表示部１０８のプログレスバー１１０によって、マスターストロボ１００Ｍ、スレーブストロボ１００Ａ、１００Ｂのすべてが充電完了しているか否かを容易に確認することができる。そのため、マスターストロボ１００Ｍ、スレーブストロボ１００Ａ、１００Ｂのすべてを発光させて発光撮影を行いたいときには、ユーザはプログレスバー１１０の状態のみを確認すればよい。
【００４５】
さらに、ユーザは、マスターストロボ１００Ｍの液晶表示部１０８のアイコン１０９ａ、１０９ｂによって、どのスレーブストロボが充電完了しているかを容易に確認することができる。そのため、スレーブストロボ１００Ａ、１００Ｂのうち充電完了していないスレーブストロボを知りたいときには、ユーザはアイコン１０９ａ、１０９ｂの状態のみを確認すればよい。
【００４６】
なお、制御可能なスレーブストロボの数が多いマスターストロボの場合、上記の実施形態のようにすべてのスレーブストロボの充電状態をそれぞれ別のアイコンに対応させるのは液晶表示部１０８のサイズの制約から困難である。そこで、すべてのスレーブストロボの充電状態をそれぞれ別のアイコンに対応させるのではなく、スレーブストロボをいくつかのグループに分けて、そのグループごとにアイコンを対応させるようにしてもよい。複数のスレーブストロボをいくつかのグループに分けてグループごとにマスターストロボが発光制御を行う技術は、特開２０１３−１６０７８８号公報などに記載されているため詳細な説明は省略する。例えば、１０台のスレーブストロボを３つのグループＡ、Ｂ、Ｃにそれぞれ６台、３台、１台となるように分けた場合、グループＡに属する６台のスレーブストロボがすべて充電完了しているとグループＡに対応したアイコンを点灯させる。同様に、グループＢに属する３台のスレーブストロボがすべて充電完了しているとグループＢに対応したアイコンを点灯させ、グループＣに属する１台のスレーブストロボが充電完了しているとグループＣに対応したアイコンを点灯させる。以上のように、スレーブストロボをいくつかのグループに分けてグループごとに充電状態をアイコンで表示することで、限られたスペースの中で効率的にスレーブストロボの充電状態に関する情報を表示することができる。
【００４７】
また、スレーブストロボの充電状態を表示するアイコンの数が予め決まっている場合、アイコンの数よりもスレーブストロボの数が少ない場合もある。例えば、スレーブストロボの充電状態を表示するアイコンの数が２つでスレーブストロボが１台の場合、図１０に示すように、アイコン１０９ｂは点灯状態にならない。そのため、ＬＥＤランプ１０７とアイコン１０９ａ、１０９ｂを見ただけでは、マスターストロボとスレーブストロボのすべてが充電完了しているか否かをユーザは判断できない。このような場合にもマスターストロボとスレーブストロボのすべてが充電完了していると、図１０に示すようにプログレスバー１１０が全点灯状態となるため、ユーザはマスターストロボとスレーブストロボを正確に確認することができる。
【００４８】
また、マスターストロボとスレーブストロボの充電状態をユーザに知らせるための表示形態は上記の実施形態の例に限定されず、表示させるマークの種類、数、位置などは適宜設定可能である。また、マスターストロボの充電状態を示す発光部もＬＥＤランプに限定されない。
【００４９】
また、上記の実施形態では、撮像装置に物理的に接続された照明装置をマスター機器としてスレーブストロボを制御するカメラシステムの例を説明したが、撮像装置をマスター機器としてスレーブストロボを制御するカメラシステムでも構わない。その場合、上記の実施形態におけるマスターストロボと同様の処理を撮像装置で実施すればよい。このとき、撮像装置の無線通信機能を用いてスレーブストロボと無線通信し、撮像装置の内蔵ストロボの充電状態をマスターストロボの充電状態に置き換えればよい。また、撮像装置に物理的に接続された通信機器でスレーブストロボとの無線通信を行い、撮像装置において撮像装置の内蔵ストロボの充電状態とスレーブストロボの充電状態を表示するようにしてもよい。
【００５０】
また、上記の実施形態では、マスターストロボの充電状態をＬＥＤランプを用いて、スレーブストロボの充電状態及びマスターストロボとスレーブストロボすべてが充電完了していることを液晶表示部を用いて報知している。しかしながら、各種情報の報知方法はこれに限らない。例えば、マスターストロボの充電状態を液晶表示部を用いて報知してもよい。また、マスターストロボの充電状態、スレーブストロボの充電状態及びマスターストロボとスレーブストロボすべてが充電完了していることをそれぞれ別々の部材を用いて報知してもよい。すなわち、マスターストロボが発光可能であることを示す情報と、スレーブストロボが発光可能な状態であることを示す情報と、マスターストロボとスレーブストロボすべてが発光可能な状態であることを示す情報とが区別可能であれば、報知方法は限定されない。
【００５１】
また、上記の実施形態では、マスターストロボとスレーブストロボを同種のストロボ装置とするカメラシステムの例を説明したが、マスターストロボと双方向通信が可能なスレーブストロボであれば、マスターストロボと同種のストロボ装置でなくてもよい。
【００５２】
以上、本発明の好ましい実施の形態について説明したが、本発明はこれらの実施の形態に限定されず、その要旨の範囲内で種々の変形及び変更が可能である。
【符号の説明】
【００５３】
１００Ｍ、１００Ａ、１００Ｂ  ストロボ装置
１０１  操作表示部
１０３  ストロボ制御部
１０５  無線通信部
２００  カメラ
３００  カメラシステム
【図１】
2017021084.tif 000003
【図２】
2017021084.tif 000004
【図３】
2017021084.tif 000005
【図４】
2017021084.tif 000006
【図５】
2017021084.tif 000007
【図６】
2017021084.tif 000008
【図７】
2017021084.tif 000009
【図８】
2017021084.tif 000010
【図９】
2017021084.tif 000011
【図１０】
2017021084.tif 000012